(57)【要約】【課題】移動体通信分野で使用できるＯＦＤＭシステム用ＳＡＷチャープＺ変換を実現する。【解決手段】ダウンチャープ特性を有するＳＡＷチャープフィルタの前後にチャープ信号を発生させる電気回路が接続されたＳＡＷチャープＺ変換器から構成されるＯＦＤＭシステムでＳＡＷチャープフィルタの遅延時間がゼロ温度特性を有するＳＡＷチャープＺ変換を用いる。【効果】以上のとおり、本発明のＳＡＷチャープＺ変換を用いたＯＦＤＭシステムは、移動体通信分野の信号処理に適用できる弾性表面波を用いてコンボリューションを行う遅延時間がゼロ温度特性を有するＳＡＷ分散型遅延線から構成されてなるＳＡＷチャープＺ変換を用いたＯＦＤＭシステムであり、その工業的価値は極めて高い。【選択図】    図１
2010081451.tif 000002
【特許請求の範囲】
【請求項１】
ダウンチャープ特性を有するＳＡＷチャープフィルタの前後にチャープ信号を発生させる電気回路が接続されたＳＡＷチャープＺ変換器から構成されるＯＦＤＭシステムにおいて、前記ＳＡＷチャープフィルタの遅延時間がゼロ温度特性を有することを特徴とするＳＡＷチャープＺ変換を用いたＯＦＤＭシステム。
【請求項２】
ＳＡＷチャープフィルタはB（帯域幅）T（遅延時間）積が１００以上のＲＡＣ型のＳＡＷ分散型遅延線からなることを特徴とする請求項第１項のＳＡＷチャープＺ変換を用いたＯＦＤＭシステム。
【発明の詳細な説明】
【技術分野】
【０００１】
本発明は、移動体通信分野の信号処理に適用できる弾性表面波を用いてコンボリューションを行うための遅延時間がゼロ温度特性を有するＳＡＷ分散型遅延線から構成されるＳＡＷチャープＺ変換器を用いたＯＦＤＭシステムに関する。
【背景技術】
【０００２】
弾性表面波をもちいてフーリエ変換を行うためのＳＡＷチャープフィルタを用いる方法は高速で機能性にも優れたアナログ信号処理であり、電子回路でディジタルフーリエ変換を行う方法に比べ電力消費で圧倒的に優位にある。ＳＡＷチャープフィルタとは周波数により遅延時間が異なる分散型遅延線のことで、その構成は、可変ピッチをもった対向型すだれ状電極によるものと、可変ピッチの反射格子によるＲＡＣ型（Ｒｅｆｅｃｔｉｖｅ  Ａｒｒａｙ  Ｃｏｍｐｒｅｓｓｏｒ）が使われている。Ｂ(帯域幅)とＴ（遅延時間）の積が１００以下の場合には対向型で、１００以上の場合にはＲＡＣ型が選択されて分散型遅延線となる。非特許文献１と非特許文献２は、２．４ＧＨｚ帯や５．２ＧＨｚ帯の無線ＬＡＮシステムに実用化されているＯＦＤＭ変復調システムについて記述されている。図４は、非特許文献１に示されている従来のディジタル回路で構成されるＯＦＤＭ送受信機のブロック図である。情報シンボル数１は直並列変換され、逆離散フーリエ変換回路(ＩＤＦＴ)に入力される。出力信号は数２となる。数３番目のキャリア数４が情報シンボル数５によって変調されている。そして、数１に対して、それぞれ別のサブキャリアが変調される。すなわち情報シンボル数１は周波数数６のサブキャリアで伝送される。複数のサブキャリアを変調して情報を伝送するため、マルチキャリア変調という。この変調信号をＤ／Ａ変換し、エイリアス成分を取り除くためのローパスフィルタを通した後、キャリアを乗算することにより中心周波数をシフトする。そして送信用のバンドパスフィルタを通して送信する。受信側ではアンテナで受信した信号をバンドパスフィルタに通し、再生してキャリアと乗算してローパスフィルタに通すことによりベースバンド信号に変換する。
その後Ａ／Ｄ変換し、サンプルした信号を数３番目のサブキャリアと乗算することにより
数７となり、数３番目の情報シンボル数５だけをとりだすことができる。この操作は離散フーリエ変換(ＤＦＴ)により実現される。情報シンボルが周波数数９のキャリアで伝送される際、情報シンボルの周波数スペクトルは重なっている。しかし、
数１０
数１１、数１２は整数
が成りたつから、情報シンボルが干渉しあうことなく復調することができる。しかしながら、この現有のＯＦＤＭ方式では、１、０００ＭＩＰＳの膨大な演算量をこなすには、数十Ｗの電力消費を必要とするという根源的な問題を抱えている。
【０００３】
【数１】
2010081451.tif 000003
【０００４】
【数２】
2010081451.tif 000004
【０００５】
【数３】
2010081451.tif 000005
【０００６】
【数４】
2010081451.tif 000006
【０００７】
【数５】
2010081451.tif 000007
【０００８】
【数６】
2010081451.tif 000008
【０００９】
【数７】
2010081451.tif 000009
【００１０】
【数８】
2010081451.tif 000010
【００１１】
【数９】
2010081451.tif 000011
【００１２】
【数１０】
2010081451.tif 000012
【００１３】
【数１１】
2010081451.tif 000013
【００１４】
【数１２】
2010081451.tif 000014
【００１５】
【非特許文献１】池原雅章、島村哲也、真田幸俊、“ＭＡＴＬＡＢ  マルチメディア信号処理  下”２４４頁、培風館、２００４年
【非特許文献２】生岩量久、“ディジタル通信・放送の変復調技術”コロナ社、２００８年４月
【発明の開示】
【発明が解決しようとする課題】
【００１６】
従来のＳＡＷチャープＺ変換を構成するＳＡＷチャープフィルタに使用される圧電材料には、ＬｉＮｂＯ３基板やＢｉ１２ＧｅＯ２０基板が使用されている。Ｂｉ１２ＧｅＯ２０基板は、１３０ｐｐｍ／℃の温度係数を有するが、弾性表面波の伝搬速度は１６２０m／sとＬｉＮｂＯ３基板の３９９２ｍ／ｓの半分であることからサイズは約半分でＳＡＷチャープフィルタが実現できる。ＳＡＷチャープＺ変換器を移動体通信分野で使用するには、厳しい遅延時間の制御を要求されることになる。このため、ＳＡＷチャープフィルタからなるＳＡＷチャープＺ変換器を構成し恒温槽に収納されて供給されていた。ＳＡＷチャープＺ変換器の移動体通信分野や衛星通信分野での使用を考えると超小型で低消費電力が必須の課題である。このためには、ＳＡＷチャープＺ変換を構成するＳＡＷチャープフィルタには遅延時間がゼロ温度特性を持つことが要求される。ＯＦＤＭは地上波ディジタル放送、ＡＤＳＬ、無線ＬＡＮで実績がある。今後４Ｇ携帯移動通信網にもＯＦＤＭが検討されている。ＯＦＤＭにＳＡＷチャープＺ変換プロセッサーを用いれば低消費電力な携帯端末が実現可能になる。
【００１７】
日本における次世代高速移動通信には２．５ＧＨｚ帯に３０ＭＨｚの帯域が二つ割り当てられている。今それを用いて次のような通信網を作るものとする
使用無線帯域幅=２５ＭＨｚ
伝送符号の時間長=２０μs
ＦＤＭチャンネル数Ｎ（ＢＴ）＝５００
本発明をこれに適用すると、ＳＡＷチャープフィルタへの要求仕様は、中心周波数３００ＭＨｚ、ＢＴ＝５００、遅延時間は２０μs、帯域幅は２５ＭＨｚである。ダウンチャープ特性を有するＳＡＷチャープフィルタは、設計条件により遅延時間がゼロ温度係数を持つことがわかっていることから、ＳＡＷチャープＺ変換を帯域幅３０ＭＨｚ、遅延時間長２０μsとした。通常、ＬｉＮｂＯ３基板のサイズがΦ３インチで遅延時間長１０μsしか、実現できない。このため弾性表面波の伝搬速度もＬｉＮｂＯ３の半分のＢｉ１２ＧｅＯ２０基板を使い、ＲＡＣ型でデバイスの小型化を図る。
【課題を解決するための手段】
【００１８】
本発明のチャープＺ変換器は、ダウンチャープ特性を有するＳＡＷチャープフィルタの前後にチャープ信号を発生させる電気回路が接続されたＳＡＷチャープＺ変換器から構成されるＯＦＤＭシステムでＳＡＷチャープフィルタの遅延時間がゼロ温度特性を有するＳＡＷチャープＺ変換を用いるＯＦＤＭシステムである。特に本発明のチャープＺ変換器を構成するＳＡＷチャープフィルタは、Ｂ（帯域幅）Ｔ（遅延時間）積が１００以上のＲＡＣ型のＳＡＷ分散型遅延線からなるＳＡＷチャープＺ変換を用いるＯＦＤＭシステムであること。
【００１９】
本発明のＳＡＷチャープＺ変換を用いたＯＦＤＭシステムを構成するＳＡＷチャープフィルタである分散型遅延線の遅延時間温度特性がゼロ温度特性を有することを説明する。
温度が数２２のときの周波数数３０、遅延時間数３１は次のように示される。
数５１                                                （１）
数５２                                                （２）
ここで、数１３、数１４は、電極指周期および伝播距離である。一般に任意の温度における周波数数１５は、３次までの温度係数を考慮すると、次式で示される。
数５３                                                （３）
但し、数１６である。数１７、数１８は数１９次の線膨張係数、ＳＡＷ速度温度係数である。同様に、任意の温度数２０における遅延時間数２１は、次のように表される。
数５４                                                （４）
基準温度数２２で、分散型遅延線の周波数分散特性を、
数２３
とおくと、任意温度における分散特性は式（３）、（４）から、
数２４
よって
数５５                                                （５）
で表わされる。故に、基準温度数２２での遅延時間温度特性は次のように求めることができる。
数５６                                                （６）
但し、数２５である。
さらに、式（３）より、次のように求まる。
数５７                                                （７）
遅延時間温度係数は、基板自身の温度係数数２６と分散特性数２７が関与している。
リニアチープフィルタの分散特性は、周波数が増加するに従い、遅延時間が単調減少するものであり、基準温度数２２で次式が示される。
数５８                                                （８）
任意の温度数２０で遅延時間数２１は（５）式より、次式で示される。
数５９                                                （９）
さらに、遅延時間、周波数の温度係数は式（６）、（７）
数６０                                              （１０）
数６１                                              （１１）
式（１０）を変形すると、
数６２                                              （１２）
規格化周波数数２８で遅延時間の温度変化がゼロになる周波数数１５は数２９である。
【００２０】
【数５１】
2010081451.tif 000015
【００２１】
【数５２】
2010081451.tif 000016
【００２２】
【数５３】
2010081451.tif 000017
【００２３】
【数５４】
2010081451.tif 000018
【００２４】
【数５５】
2010081451.tif 000019
【００２５】
【数５６】
2010081451.tif 000020
【００２６】
【数５７】
2010081451.tif 000021
【００２７】
【数５８】
2010081451.tif 000022
【００２８】
【数５９】
2010081451.tif 000023
【００２９】
【数６０】
2010081451.tif 000024
【００３０】
【数６１】
2010081451.tif 000025
【００３１】
【数１２】
2010081451.tif 000026
【００３２】
【数１３】
2010081451.tif 000027
【００３３】
【数１４】
2010081451.tif 000028
【００３４】
【数１５】
2010081451.tif 000029
【００３５】
【数１６】
2010081451.tif 000030
【００３６】
【数１７】
2010081451.tif 000031
【００３７】
【数１８】
2010081451.tif 000032
【００３８】
【数１９】
2010081451.tif 000033
【００３９】
【数２０】
2010081451.tif 000034
【００４０】
【数２１】
2010081451.tif 000035
【００４１】
【数２２】
2010081451.tif 000036
【００４２】
【数２３】
2010081451.tif 000037
【００４３】
【数２４】
2010081451.tif 000038
【００４４】
【数２５】
2010081451.tif 000039
【００４５】
【数２６】
2010081451.tif 000040
【００４６】
【数２７】
2010081451.tif 000041
【００４７】
【数２８】
2010081451.tif 000042
【００４８】
【数２９】
2010081451.tif 000043
【００４９】
【数３０】
2010081451.tif 000044
【００５０】
【数３１】
2010081451.tif 000045
【００５１】
【数３２】
2010081451.tif 000046
【００５２】
【数３３】
2010081451.tif 000047
【００５３】
【数３４】
2010081451.tif 000048
【００５４】
【数３５】
2010081451.tif 000049
【００５５】
【数３６】
2010081451.tif 000050
【００５６】
【数３７】
2010081451.tif 000051
【００５７】
【数３８】
2010081451.tif 000052
【発明の効果】
【００５８】
以上説明したように本発明のＳＡＷチャープＺ変換を用いたＯＦＤＭシステムは、移動体通信分野の信号処理に適用できる弾性表面波を用いてコンボリューションを行う遅延時間がゼロ温度特性を有するＳＡＷ分散型遅延線から構成されてなるＳＡＷチャープＺ変換を用いたＯＦＤＭシステムである。ディジタル方式ではＤＦＴとしては５１２＝２９点のＤＦＴを用いるのが一般的である。またその速度は５０、０００回／秒である。この時ＦＦＴに必要な演算速度は５１２×９×５０，０００＝２３０．４ＭＩＰＳ上の乗算は複素乗算であるから実乗算の数はその４倍であり９２１．６ＭＩＰＳにもなる。これは携帯端末には過大な演算量であり実現困難である。そこでＳＡＷチャープＺ変換プロセッサーを用いることで所要演算量を激減することができる。ＳＡＷチャープフィルタのチャープＺ変換プロセッサーは、帯域２５ＭＨｚ、Ｎ＝５００での演算時間は１，１００ＭＩＰＳとなり、ＯＦＤＭで要求される９２１．６ＭＩＰＳを満足でき、その工業的価値は極めて高い。
【発明を実施するための最良の形態】
【００５９】
本発明のＯＦＤＭシステムに適用できるＳＡＷチャープＺ変換器は、ダウンチャープ特性を有するＳＡＷチャープフィルタの前後にチャープ信号を発生させる電気回路が接続されたＳＡＷチャープＺ変換器から構成されるＳＡＷチャープフィルタの遅延時間がゼロ温度係数を有する。
【実施例１】
【００６０】
以下、本発明の実施例について図面を用いて詳細に説明する。図１は、本発明のＳＡＷチャープＺ変換を使用したＯＦＤＭシステムである。ダウンチャープ特性を有するＳＡＷチャープフィルタ１００は、コンボリューション機能を有する。ＳＡＷチャープフィルタ１００の前後に接続された電子回路であるチャープ信号発生器１０１とチャープ信号発生器１０２とで、チャープＺ変換を行うことが出来る。ここでチャープ信号発生器１０１はアップチャープ特性を有し、チャープ信号発生器１０２はダウンチャープ特性を有する。図１の結線の矢印方向１０６は、ＳＡＷチャープＺ変換は逆フーリエ変換を行うことで情報シンボルを送信する。結線の矢印方向１０７は、アンテナスイッチ１０３を受信側に切り換えた時は、同時にチャープＺ変換への接続スイッチ１０４、１０５が動作し、受信信号をフーリエ変換し、元の情報シンボルを再生させることが出来る。
送信側と受信側に接続されるバンドパスフィルタは、ナイキストフィルタを使用することで、符号間干渉を避けることができる。特に受信側のバンドパスフィルタは、ＧＩカットフィルタとしての役目を担う。
【００６１】
図２は、本発明のチャープＺ変換器を構成するＳＡＷチャープフィルタの温度変化に対する圧電基板上に形成された電極の物理的寸法に与える影響を模式的に描写したものである。温度変化における電極指周期および伝播距離の変化に対し、周波数数１５を３次までの温度係数を考慮して解析している。
【００６２】
図３は、本発明のチャープフィルタの遅延時間の変化は規格化周波数数２４をパラメータに０．４〜０．６の範囲での遅延時間の変化曲線３００を示す。図３の破線で示すように、数３２で遅延時間の温度変化がゼロになる。例えば、数３３とすると、数３４で温度係数がゼロになる。ＯＦＤＭシステムで帯域幅数３５、遅延時間２０μsとすると、数２８の０．４５〜０．５５の間の遅延時間の変化量は、数３６〜数３７である。Ｂｉ１２ＧｅＯ２０基板に金属反射格子を使ったＲＡＣ型の中心周波数数３３のＳＡＷチャープフィルタを製作すると、ＳＡＷチャープフィルタのチップサイズは１８ｍｍ×２ｍｍ×０．５ｍｍとなる。ＳＡＷチャープ変換器への入力周波数数３８での遅延時間の変化量は＋２３．４ｐｐｍ〜０ｐｐｍ〜−２８．８９ｐｐｍである。
【図面の簡単な説明】
【００６３】
【図１】本発明のＳＡＷチャープＺ変換を使用したＯＦＤＭシステムである。
【図２】本発明のＳＡＷチャープフィルタの温度に対する電極構造変化を示した平面図である。
【図３】本発明のＳＡＷチャープフィルタの遅延時間温度特性である。
【図４】従来のＯＦＤＭシステムである。
【符号の説明】
【００６４】
１００          ＳＡＷチャープフィルタ
１０１          チャープ信号発生器
１０２          チャープ信号発生器
１０３          アンテナスイッチ
１０４          接続スイッチ
１０５          接続スイッチ
２００          圧電基板
２０１          ＩＤＴ
２０２          ＩＤＴ
２０３          反射電極
２０４          反射電極
２０５          ＩＤＴ
２０６          ＩＤＴ
２０７          反射電極
２０８          反射電極
３００          遅延時間特性
４００          アンテナスイッチ
【図１】
2010081451.tif 000053
【図２】
2010081451.tif 000054
【図３】
2010081451.tif 000055
【図４】
2010081451.tif 000056
【手続補正書】
【提出日】平成20年10月14日(2008.10.14)
【手続補正１】
【補正対象書類名】図面
【補正対象項目名】図２
【補正方法】変更
【補正の内容】
【図２】
2010081451.tif 000057
【手続補正書】
【提出日】平成20年12月13日(2008.12.13)
【手続補正１】
【補正対象書類名】明細書
【補正対象項目名】００６０
【補正方法】変更
【補正の内容】
【００６０】
以下、本発明の実施例について図面を用いて詳細に説明する。図１は、本発明のＳＡＷチャープＺ変換を使用したＯＦＤＭシステムである。ダウンチャープ特性を有するＳＡＷチャープフィルタ１００は、コンボリューション機能を有する。ＳＡＷチャープフィルタ１００の前後に接続された電子回路であるチャープ信号発生器１０１とチャープ信号発生器１０２とで、チャープＺ変換を行うことが出来る。ここでチャープ信号発生器１０１はアップチャープ特性を有し、チャープ信号発生器１０２はダウンチャープ特性を有する。図１の結線の矢印方向１０６は、ＳＡＷチャープＺ変換は逆フーリエ変換を行うことで情報シンボルを送信する。結線の矢印方向１０７は、アンテナスイッチ１０３を受信側に切り換えた時は、同時にチャープＺ変換への接続スイッチ１０４、１０５が動作し、受信信号をフーリエ変換し、元の情報シンボルを再生させることが出来る。
【手続補正２】
【補正対象書類名】図面
【補正対象項目名】図１
【補正方法】変更
【補正の内容】
【図１】
2010081451.tif 000058
【手続補正書】
【提出日】平成21年3月19日(2009.3.19)
【手続補正１】
【補正対象書類名】特許請求の範囲
【補正対象項目名】請求項１
【補正方法】変更
【補正の内容】
【請求項１】
ダウンチャープ特性を有するＳＡＷチャープフィルタの前後にチャープ信号を発生させる電気回路が接続されたＳＡＷチャープＺ変換器から構成されるＯＦＤＭシステムにおいて、前記ＳＡＷチャープフィルタの遅延時間がゼロとほぼゼロの温度特性を有することを特徴とするＳＡＷチャープＺ変換を用いたＯＦＤＭシステム。
【手続補正２】
【補正対象書類名】明細書
【補正対象項目名】００５１
【補正方法】変更
【補正の内容】
【００５１】
【数３２】
2010081451.tif 000059
【手続補正３】
【補正対象書類名】明細書
【補正対象項目名】００６２
【補正方法】変更
【補正の内容】
【００６２】
図３は、本発明のチャープフィルタの遅延時間の変化は規格化周波数数２４をパラメータに０．４〜０．６の範囲での遅延時間の変化曲線３００を示す。図３の破線で示すように、数３２で遅延時間の温度変化がほぼゼロになる。例えば、数３３とすると、数３４で温度係数がほぼゼロになる。ＯＦＤＭシステムで帯域幅数３５、遅延時間２０μsとすると、数２８の０．４５〜０．５５の間の遅延時間の変化量は、数３６〜数３７である。Ｂｉ１２ＧｅＯ２０基板に金属反射格子を使ったＲＡＣ型の中心周波数数３３のＳＡＷチャープフィルタを製作すると、ＳＡＷチャープフィルタのチップサイズは１８ｍｍ×２ｍｍ×０．５ｍｍとなる。ＳＡＷチャープ変換器への入力周波数数３８での遅延時間の変化量は＋２３．４ｐｐｍ〜０ｐｐｍ〜−２８．８９ｐｐｍである。
【手続補正４】
【補正対象書類名】明細書
【補正対象項目名】００６０
【補正方法】変更
【補正の内容】
【００６０】
以下、本発明の実施例について図面を用いて詳細に説明する。図１は、本発明のＳＡＷチャープＺ変換を使用したＯＦＤＭシステムである。ダウンチャープ特性を有するＳＡＷチャープフィルタ１００は、コンボリューション機能を有する。ＳＡＷチャープフィルタ１００の前後に接続された電子回路であるチャープ信号発生器１０１とチャープ信号発生器１０２とで、チャープＺ変換を行うことが出来る。ここでチャープ信号発生器１０１はアップチャープ特性を有し、チャープ信号発生器１０２はダウンチャープ特性を有する。図１の結線の矢印方向１０６は、ＳＡＷチャープＺ変換は逆フーリエ変換を行うことで情報シンボルを送信する。結線の矢印方向１０７は、アンテナスイッチ１０３を受信側に切り換えた時は、同時にチャープＺ変換への接続スイッチ１０４、１０５が動作し、受信信号をフーリエ変換し、元の情報シンボルを再生させることが出来る。
送信側と受信側に接続されるバンドパスフィルタは、ナイキストフィルタを使用することで、符号間干渉を避けることができる。特に受信側のバンドパスフィルタは、ＧＩカットフィルタとしての役目を担う。
【手続補正５】
【補正対象書類名】図面
【補正対象項目名】図１
【補正方法】変更
【補正の内容】
【図１】
2010081451.tif 000060
【手続補正書】
【提出日】平成21年5月28日(2009.5.28)
【手続補正１】
【補正対象書類名】特許請求の範囲
【補正対象項目名】請求項１
【補正方法】変更
【補正の内容】
【請求項１】
圧電基板と、前記圧電基板上に設けられたダウンチャープ特性を有する電極とで構成されたＳＡＷチャープフィルタと、前記ＳＡＷチャープフィルタの前後に接続されたチャープ信号を発生させる電気回路とを備えたＳＡＷチャープＺ変換器から構成されるＯＦＤＭシステムにおいて、前記ＳＡＷチャープＺ変換器への入力信号の周波数をｆ０の０．４５倍から０．５５倍の範囲にしたことを特徴とするＯＦＤＭシステム。
ただし、ｆ０＝ｖ０／ｄ０、ｄ０：前記電極の電極周期、ｖ０：前記圧電基板の伝搬速度。